Podtech/llm-jp-corpus-v4-ja_patent huggingface dataset:
(57)【要約】【課題】        魚の鱗の大きさは、魚の大きさ、種類によって差があるため、一つの鱗取りの形状ではその全てに対応しきれず、美しく鱗を取ることができず、時間もかかるという問題を有していた。  しかも、器具が取っ手から脱却する危険性もあった。また、鱗取りの面と取っ手が近いことは、手を傷つけ易い危険性もあった。【解決手段】    二種類の鱗取り具を合わせて大小の鱗に対応できるようにし、  鱗取り具（２）の連結部の取り付け金具（５）を四ヵ所にし、金属ブラシの付いている取っ手の一部に差し込んで外側に折り込むことによって、連結をより強固なものにした。そして鱗取り具（２）の中央と四隅の台座（４）の空間は、鱗取り刃に鱗を詰まらなくさせた。また、鱗取り機具の面と取っ手が遠くなることは、作業中の事故防止にもつながる。【選択図】    図２
2005218666.tif 000002
【特許請求の範囲】
【請求項１】
取り付け金具部（５）と、取っ手との隙間を開ける台座部（４）を有する二連のズレのある鱗取り具（２）。
【請求項２】
硬金ブラシ（１）が取り付けられた取っ手板（３）の裏面にある四ヶ所の差し込み口（６）に取り付け金具部（５）を差し込んで折り曲げ、鱗取り具（２）を固定することによって大小の鱗に応じて両面を使い分け、鱗を取る器具。
【発明の詳細な説明】
【技術分野】
【０００１】
木製またはプラスチック製の取って板（３）に埋め込む金属製のワイヤーブラシ（１）は錆びにくく硬いステンレス鋼を使用するのが望ましい。その裏面に使用するアルミ製、またはステンレス製で中央が空洞で、その両端に二連のズレのある鱗取りを有する鱗取り具（２）は、その上面四隅に台座部（４）と、取って板（３）に差し込み、出た先を曲げて固定する取り付け金具（５）を有する。
【０００２】
この取り付け金具（５）は強い付加に耐えうる強度が必要である。そこへ取っ手板（３）に開けた穴（６）に金具（５）を通し、外側に折り曲げることによって、鱗取り機（２）の取っ手板（３）からの脱却を防ぐ。
【０００３】
台座（４）が取って板（３）と鱗取り具（２）との間に隙間を作り、鱗取り具に鱗が詰まらなくなる。また、鱗取り具（２）と取っ手部分（３）が遠くなることは、作業中の事故防止にもつながる
このように、防錆対策、耐久性の対策をしたうえで、小さな鱗にはワイヤーブラシ（１）を、大きな鱗には鱗取り具（２）を使うことのによって能率が良く、安全で速い仕事ができる。
【背景技術】
【０００４】
従来、魚の鱗の大小に関係なく、使う器具の形状は一種類であった。
【発明の開示】
【発明が解決しようとする課題】
【０００５】
魚の鱗の大きさは、魚の大きさ、種類によって差があるため、一つの鱗取りの形状ではその全てに対応しきれず、美しく鱗を取ることができず、時間もかかるという問題を有していた。  しかも、器具が取っ手から脱却する危険性もあった。また、鱗取りの面と取っ手が近いことは、手を傷つけ易い危険性もあった。
【課題を解決するための手段】
【０００６】
上記目的を達成するために、二種類の鱗取り具を合わせて大小の鱗に対応できるようにし、  硬金ブラシの付いている取っ手の一部に四ヵ所金具（５）を差し込んで外側に折り込むことによって、連結をより強固なものにする。そして鱗取り具（２）の中央と四隅の台座（４）によってできる空間は、鱗取り具に鱗を詰まりにくくさせる。
また、鱗取り具の面と取っ手が遠くなることは、作業中の事故防止にもつながる。
【発明の効果】
【０００７】
本発明を使うことによって、効率良くしかも安全に魚の鱗を取ることが出来る。
【発明を実施するための最良の形態】
【０００８】
イ  木製またはプラスチック製の取っ手板（３）に埋め込んだ硬金属製のワイヤーブラシ（１）は、小さな鱗を取るために使う。
【０００９】
ロ  全体が長方形で中央が空洞になっており、その外緑面に二連のズレのある凹凸を有する鱗取り具（２）は、その四隅に台座部（４）と取り付け金具（５）を有する。これは、大きな鱗を取るために使う。
【００１０】
ハ  台座部（４）が取って板（３）と鱗取り具（２）との間に隙間を作り、鱗取り機に鱗が詰まらなくなる。
【００１１】
ニ  取って板（３）に開けた穴（６）に取り付け金具（5）を通し、外側に折り込むことによって、鱗取り具（２）の取って板（３）からの脱却を防ぐ。
【００１２】
ホ  持ち易く幅の広い取っ手（３）は、作業に安定性を提供する。
【００１３】
テ  台座（４）は、鱗が詰まりにくくなるだけではなく、その高さ分、取っ手（３）を持つ作業中の手の保護にもつながる。
【００１４】
ト  このように鱗の大小で面を使い分けることによって、より合理的に速く安全に魚の鱗取りが出来る道具。
【図面の簡単な説明】
【００１５】
【図１】小さな鱗を取る用の器具、ステンレス鋼ブラシ側１の斜視図である。取っ手（３）に開けた穴（６）に金具（５）を差し込み、（５）を折り曲げて（３）に固定する。
【図２】大きな鱗をとる用に使用する鱗取り具。両端が二連のズレのある鱗取り具（２）の斜視図である。四隅の台座（４）と（２）の中央に開く空間が、鱗を取り込みやすくする。
【図３】取り付け金具（５）と穴（６）の構造平面図である。凹凸の刃の部分は一定方向に揃え曲げ、逆方向に台座部（４）を曲げ、取り付け金具（５）を穴（６）に入れて曲げ、固定する。
【符号の説明】
【００１６】
1  ステンレス鋼ブラシ
2  中央が空洞で両端が二連のズレのある鱗取り
3  木製またはプラスチック製の取っ手板
4  （２）と（３）の隙間を作るための金属台
5  （２）と（４）を（３）に固定するための金具
6  金具の差し込み穴  
【図１】
2005218666.tif 000003
【図２】
2005218666.tif 000004
【図３】
2005218666.tif 000005
(57)【要約】【課題】石けん容器の使用に際し、石けんが乾燥されていなかったり、容器内部に水がたまったりして石けんの変形や溶融による損耗が見られ、非衛生的でもあり、石けん自体の取り出し入れも容器の側壁が障害となり不便であった。【解決手段】石けん容器の側壁に通気口１を設け、通気性を良くして、石けんや石けん容器の乾燥化を図り、石けんの取り出し入れと乾燥化を容易にするために側壁の一部を低くし、開口部２を設ける。【選択図】図２
2005218675.tif 000002
【特許請求の範囲】
【請求項１】
石けん容器の側壁に石けん容器、及び、石けんの乾燥化の為の通気口を設ける。
【請求項２】
石けん容器の側壁の高さを一部低くし、石けん容器や、石けんの乾燥化、及び、石けんの取り出しの容易性を確保する。
【発明の詳細な説明】
【技術分野】
【０００１】
本発明は乾燥し難い従来の石けん容器やその中の石けんを早期に乾燥すべく、石けん容器
側壁に通気口を設け、取り出し入れもし易い様に側壁の一部を低くした。
【背景技術】
【０００２】
従来の石けん容器は、通気口が底面にしか無く、側壁の高さも全て同一であった。
【発明の開示】
【発明が解決しようとする課題】
【０００３】
従来の石けん容器では側壁に通気口が無く、大気の流通に支障をきたすため、水分蒸散がし難く、従って、容器内部に水が溜まり易く、石けん自体も水分による変形や、溶融による損耗が見られ、不衛生でもあった。
【０００４】
従来の石けん容器の側壁は全て同一の高さで、滑りやすい石けんの取り出し入れが容易でなかった。
【課題を解決するための手段】
【０００５】
大気の流通を図る為、石けん容器側壁に通気口１を設ける。
【０００６】
石けんを乾燥させる為の大気の流通を促進させると同時に石けん自体の取り出し入れも容易にする目的で、石けん容器側壁の一部の高さを低くし、開口部２を設ける。
【発明の効果】
【０００７】
石けん容器の通気口１から大気の流通が図られ、石けんの容器内部の水分蒸散促進化や石けん自体の早期乾燥化により、石けんの溶融による変形や損耗も抑止でき、取り扱いも容易になり、清潔性も確保できる。
【０００８】
石けん容器の側壁の一部を低くし、開口部２を設けることにより、滑りやすい石けんの取り出し入れの容易性を向上させ、更に大気の流通も促進する為、石けん容器や石けんの乾燥化にも寄与する。
【発明を実施するための最良の形態】
【０００９】
石けん容器の側壁に通気口を設け、且つ側壁の一部を低くする。
【実施例１】
【００１０】
石けん容器側壁面に一個以上の穴を開けて通気口１を設け、側面からの大気の流通を促進させると共に石けんの取り出し入れ用に容器側壁の一部の高さを石けんの収納に支障を来さない程度まで低くし開口部２を設ける。
【図面の簡単な説明】
【００１１】
【図１】本発明の平面図である
【図２】本発明の正面図である
【図３】本発明の背面図である
【符号の説明】
【００１２】
１            側壁通気口
２            石けん取り出し入れ開口部（側壁の高さを低くする）
【図１】
2005218675.tif 000003
【図２】
2005218675.tif 000004
【図３】
2005218675.tif 000005
(57)【要約】【課題】  使用後患部から剥がし易い救急絆創膏を提供する。【解決手段】  救急絆創膏のパッドの近傍両側に、切断線を設けることにより、従来の救急絆創膏で剥がし難い点や、剥がす時に痛みを伴う点を解決するものである。【選択図】  図１
2005218607.tif 000002
【特許請求の範囲】
【請求項１】
パッドの近傍両側に垂直に切断線を設けたことを特徴とする剥がし易い救急絆創膏。
【請求項２】
請求項１の切断線において、粘着テープの両端部に余白を設けたことを特徴とする剥がし易い救急絆創膏。  
【発明の詳細な説明】
【技術分野】
【０００１】
本発明は救急絆創膏に関するものである。
【背景技術】
【０００２】
従来の救急絆創膏は患部に当てるパッドを装着した粘着テープと剥離シートからなり、
傷をしっかり保護するように作られている。しかしながら、粘着テープの粘着力が強いので、剥がすときに剥がし難かった。
本発明の剥がし易い救急絆創膏は、後記するようにパッドの近傍に切断線を設けた事により剥がし易くするものであるが、粘着テープにミシン目を入れて、その部分で切断することで太さの違う指の傷の処置にハサミを使わなくても対応できるという下記の先願がある。
【特許文献１】実開平０５−６５３１８号公報
【発明の開示】
【発明が解決しようとする課題】
【０００３】
従来の救急絆創膏は貼り替えや使用後に、皮膚から剥がす時に粘着テープの粘着力が強いため、剥がすことが困難であった。また長時間貼り続けておくと粘着性が増し、さらに剥がし難くなり、指に巻いた時などは粘着テープが重なるため一層剥がし難くなる。
【０００４】
本発明は、パッドの近傍に切断線を設ける事で、救急絆創膏の剥がし難さや、剥がすときの痛みなど従来の救急絆創膏がもっている課題を解決しようとするものである。
【０００５】
文献１の先願は粘着テープにミシン目の切断線を入れた救急絆創膏であり、このミシン目は太さの違う指の傷に対処するためにハサミを使わなくても、必要な長さに切断する目的のものであり、本発明の剥がし易い救急絆創膏とは根本的に異なるものである。
【課題を解決するための手段】
【０００６】
請求項１の本発明の剥がし易い救急絆創膏は、パッドの近傍両側に切断線を設けたことを特徴とする。請求項２の本発明の剥がし易い救急絆創膏は、請求項1の切断線において粘着テープの両端部に余白を設けたことを特徴とする。
【０００７】
パッド近傍両側に切断線を設けたことにより指に巻き付けた場合でも、パッドの端を摘み上げて横に引っ張ると、粘着テープが切断線で切れるので、パッドから容易に剥がす事が出来る。平面状に貼った場合でも、同じようにパッドを摘んで切断出来るので、残った粘着テープ部分は引っ張られて少し浮き、その部分から容易に剥がす事が出来る。
【発明の効果】
【０００８】
このように、救急絆創膏を張り替えたり剥がしたりするときに、粘着テープを端から剥がそうとしたり、引っ張ったりする必要がなく、傷口を痛めたり皮膚を引っ張ることもなく痛みも少なく剥がす事が出来るので、幼い子供の傷等の手当てには最適で、何度でも張り替えてあげられるため清潔に患部を保持する事が出来る利点がある。
【発明を実施するための最良の形態】
【０００９】
本発明について、以下図を参照しながら実施例をもとに詳細に説明する。
【実施例１】
【００１０】
図１は実施例1の請求項1の本発明を示す図で、患部に当てるパッド2の近傍両側に,垂直に複数のカット部５からなる切断線4を設けたものである。  実施例1では、２〜３ｍｍ切断したカット部５を隣のカット部５との間隔を約２ｍｍあけて複数設けて切断線４とした。これにより使用後、パッド2の端を摘み上げて横に引っ張ると、粘着テープ1が切断線４で切れて、粘着テープは容易に剥がす事が出来るようになった。
【実施例２】
【００１１】
図２は実施例2の請求項2の本発明を示す図で、実施例１の場合との違いは、切断線4を粘着テープ1の端まで入れずに、粘着テープ1の両端部に余白３の部分を設けたところにある。
この実施例2では、粘着テープ1の幅が２ｃｍであったので、両端部に約4ｍｍの余白３を設けて実施例1と同じように切断線を入れた。この余白3を設けたことにより、粘着テープ１から剥離シートを剥がすときや、皮膚に貼り止めして剥離シートを引き剥がしながら貼っていっても千切れなくなった。その結果、指などに貼った場合に関節を曲げても千切れる事はなくなった。
【００１２】
切断線は救急絆創膏のパッドのごく近傍に入れると切断線の入れ方や貼り方、動作、関節など場所によっては切断線が破れる可能性があるので、パッドの厚さや粘着性、伸縮性等、製品に異なるが、パッドから約２〜３ｍｍ離した方が良い結果が得られた。
【００１３】
切断線をパッドから約７ｍｍ離れた位置に入れた場合には、剥がすことは出来るが、肌質によっては強く貼り着くので剥がすとき皮膚への痛みを感じる事があった。パッドから離れ過ぎない近傍で、パッドから約２〜３ｍｍのところに垂直に切断線を設ける事により、剥がすとき粘着テープの粘着力や伸縮性などによる肌への痛みを軽減し、患部を保護し容易に取り剥がす事が出来るようになった。
【００１４】
しかし救急絆創膏の形態やパッドの厚さ等製品によってその特性が異なるので、切断線の形状や入れ方、パッドと切断線の間隔等は上記実施例に記載したとおりにする必要は無い。
【産業上の利用可能性】
【００１５】
救急絆創膏は家庭や学校、職場等に置かれて、必要な時に誰もが使用する物であり、世界的にも普及されている物である。本発明の剥がし易い救急絆創膏は老若男女問わず、剥がすときの不便さを減少する事ができるのでさらに普及することが期待される。
【図面の簡単な説明】
【００１６】
【図１】本発明の剥がし易い救急絆創膏の実施例1を示す図である。
【図２】本発明の剥がし易い救急絆創膏の実施例2を示す図である。
【図３】本発明の剥がし易い救急絆創膏を剥がしている状態を示す図である。
【符号の説明】
【００１７】
１  粘着テープ
２  パッド
３  余白
４  切断線
５  カット部
【図１】
2005218607.tif 000003
【図２】
2005218607.tif 000004
【図３】
2005218607.tif 000005
(57)【要約】【課題】  多数の造花を安定して支持することができ、造花を簡単に美しく配置することが可能な造花支持具の提供。【解決手段】  ベース板２の一部に、造花５の配置デザインに合わせて補助板３を積層し、補助板積層部においてベース板２及び補助板３に多数の造花差込孔４を形成する。補助板３は、ベース板２の裏面に積層するか、或いは、ベース板２の表面に積層して、補助板３及びベース板２の表面を立体的な景観模型とする。【選択図】          図２
2005218654.tif 000002
【特許請求の範囲】
【請求項１】
ベース板の一部に、造花配置デザインに合わせて補助板を積層し、補助板積層部において前記ベース板及び補助板に多数の造花差込孔を形成したことを特徴とする造花支持具。
【請求項２】
前記補助板を前記ベース板の裏面に積層した請求項１に記載の造花支持具。
【請求項３】
前記補助板を前記ベース板の表面に積層し、前記補助板及びベース板の表面を立体的な景観模型としてある請求項１に記載の造花支持具。
【発明の詳細な説明】
【技術分野】
【０００１】
本発明は、造花の下端を差し込んで支持する造花支持具に関する。
【背景技術】
【０００２】
従来、湾曲した薄板に多数の孔を貫通して設け、この孔に造花の下端を差し込んで支持する支持具が知られている（特許文献１参照）。しかし、この支持具はアクセサリー台であって、湾曲した薄板で造花を支持するので、多数の造花の重量に耐えられず、背の高い造花を支持することもできなかった。
また、陶製の中空筒体形状を呈する容器本体を仕切壁で区画し、区画部に挿通可能な孔部を穿設し、孔部に花を差して支持することのできる容器が提案されている（特許文献２参照）。
しかし、この容器は、各区画部に１個の孔部を形成してあるだけであって、その形状、材質からも、造花を平面上に多数配置して支持することができない。
【０００３】
【特許文献１】実開平２−３２０号公報
【特許文献２】特開平１０−１４７３１号公報
【発明の開示】
【発明が解決しようとする課題】
【０００４】
本発明が解決しようとする課題は、多数の造花を安定して支持することができ、造花を簡単に美しく配置することが可能な造花支持具を提供することにある。
【課題を解決するための手段】
【０００５】
本発明の造花支持具は、ベース板の一部に、造花配置デザインに合わせて補助板を積層し、補助板積層部において前記ベース板及び補助板に多数の造花差込孔を形成してある。
前記補助板を前記ベース板の裏面に積層しても良い。
或いは、前記補助板を前記ベース板の表面に積層し、前記補助板及びベース板の表面を立体的な景観模型としても良い。
【発明の効果】
【０００６】
本発明によれば、造花配置部分に補助板を積層し、その部分に造花差込孔を形成してあるので、多数の造花を配置して支持することができ、背の高い造花であっても安定して支持することが可能である。
また、造花を予めデザインに合わせて形成されている造花差込孔に差し込むだけで、美しいディスプレイとすることができ、補助板をベース板の一部のみに積層したので、支持具全体の重量が小さくなると共に材料が節約できる。
【発明を実施するための最良の形態】
【０００７】
以下、本発明の実施例を図面に基づいて詳細に説明する。
【実施例１】
【０００８】
図１及び図２は、実施例１を示す。
本考案の造花支持具１は、図１に示すように、ベース板２の一部に補助板３を積層し、補助板積層部においてベース板２及び補助板３に多数の造花差込孔４を形成して成る。
ベース板２は、長方形の木板であり、５ｍｍ〜３０ｍｍの厚みを有する。
補助板３は、ベース板２の長辺と同じ長さの帯板であり、その厚みは支持する造花５（図２）のサイズに応じて、２０ｍｍ〜１５０ｍｍのものを使用する。また、補助板３の幅も、支持する造花２の大きさや数によって適宜選択する。
【０００９】
複数の（図に示す例では３個の）補助板３が、ベース板２の裏面に、その長辺に沿って、且つ、互いに間隔をあけて、釘や接着剤により取り付けられる。勿論、補助板３は全て同幅でなくても良い。
また、多数の造花差込孔４を、各補助板３の長手方向に沿って一列或いは複数列並列するよう、ドリル等で形成する。造花差込孔４の径は、造花５の茎の太さによって任意に変更することができる。径が大きい造花差込孔４は間隔を広く配置して、径が小さい造花差込孔４は比較的密に配置すると良い。
そして、図２に示すように、各造花差込孔４に、花、樹木或いは草を模した造花５の茎下端をそれぞれ差し込むことにより、多数の造花５を美しく配置して、安定して支持することができる。
【実施例２】
【００１０】
図３は、実施例２を示す。
楕円を１／４に切断した形状の２枚の補助板３を、ベース板２の裏面において一対の対角部に取り付けてある。
また、造花５の茎の太さに応じた径の造花差込孔５を、補助板３を積層した部分に、適宜間隔毎に配置してある。
その他の構成及び使用方法は、実施例１とほぼ同様なので、同一部分に同一符号を付して詳細な説明を省略する。
【実施例３】
【００１１】
図４は、実施例３を示す。
ベース板２の表面に、ベース板２より小さい第１の補助板３ａを積層し、第１の補助板３ａの表面に、これよりさらに小さい第２の補助板３ｂを積層してある。
そして、ベース板２、第１の補助板３ａ、及び、第２の補助板３ｂの表面を、彩色したり、紙粘土や発泡スチロール、各種ミニチュアを付着させることにより、洋風庭園、和風庭園、山水等の景観模型としてある。
【００１２】
また、第１の補助板３ａ及び第２の補助板３ｂの少なくとも一方を積層した部分において、景観にふさわしい位置に、多数の造花差込孔４を形成する。
すると、造花差込孔４へ造花５を差し込むだけで、多数の花で飾られた景観を現出できる。
その他の構成及び使用方法は、実施例１及び実施例２とほぼ同様である。
【００１３】
なお、ベース板２の表面に積層する補助板の数は、１枚であっても３枚以上であっても良い。
また、ベース板２の形状、面積、及び補助板３の形状、面積、数、設置場所は上記実施例に限定されない。例えば、ベース板２や補助板３を円形、楕円形、菱形等の自由な形状に変形することができる。
さらに、同形或いは形状や厚みが異なる複数の増加支持具１を組み合わせて、さらに大規模で複雑なデザインのディスプレイを楽しむことが可能である。
【図面の簡単な説明】
【００１４】
【図１】実施例１を示す造花支持具の斜視図。
【図２】同上の造花支持状態の斜視図。
【図３】実施例２を示す造花支持具の斜視図。
【図４】実施例３を示す造花支持具の斜視図。
【符号の説明】
【００１５】
１  造花支持具
２  ベース板
３  補助板
３ａ  第１の補助板
３ｂ  第２の補助板
４  造花差込孔
５  造花
【図１】
2005218654.tif 000003
【図２】
2005218654.tif 000004
【図３】
2005218654.tif 000005
【図４】
2005218654.tif 000006
(57)【要約】【課題】  消火剤を収容する容器のグリップ部分に設けた蓄光剤入り層が特に夜間時や暗い場所において光ることにより、夜間時や暗い場所での本消火器具の識別が容易となってすぐさま初期消火が行えると共に、グリップ部分の滑り止め部により滑らずに持ち易くなるので、本消火器具をしっかりとつかんで消火ができる家庭用消火器具を得る。【解決手段】  消火剤を収容する容器１の口に放出用バルブ部２を有しかつ容器１をつかんで消火を行うものであって、容器１のグリップ部分に溝や凹みなどからなる滑り止め部３を構成すると共に、この滑り止め部３の溝や凹み内に嵌め込みリングや塗布剤などにより形成される蓄光剤入り層４を構成してなる。【選択図】    図１
2005218656.tif 000002
【特許請求の範囲】
【請求項１】
消火剤を収容する容器の口に放出用バルブ部を有しかつ前記容器をつかんで消火を行うものであって、前記容器のグリップ部分に溝や凹みなどからなる滑り止め部を構成すると共に、この滑り止め部の溝や凹み内に嵌め込みリングや塗布剤などにより形成される蓄光剤入り層を構成したことを特徴とする家庭用消火器具。
【発明の詳細な説明】
【技術分野】
【０００１】
本発明は、エアゾール式簡易消火具で代表される家庭用消火器具に関するものである。
【背景技術】
【０００２】
従来のこの種の家庭用消火器具は、例えば特開平４−２８３７９号公報にあるエアゾール式簡易消火具から明らかなように、その構造，動作は周知のことであるので、ここではその説明を省略する。
【特許文献１】特開平４−２８３７９号公報
【発明の開示】
【発明が解決しようとする課題】
【０００３】
解決しようとする問題は、前記したように従来のものは全体の形状がエアゾール缶に近似して小型でコンパクトであるので、てんぷら油やくずかご等の火災を初期消火するのに家庭の台所に置いておくと、台所に点在している他のスプレー缶製品と識別のしにくいものであるために、いざというときに、特に夜間時や暗い場所においては識別のしにくいことも重なって本消火器具を見つけるのに時間を要して、初期消火が遅れるという点である。
【課題を解決するための手段】
【０００４】
本発明は、消火剤を収容する容器の口に放出用バルブ部を有しかつ前記容器をつかんで消火を行うものであって、前記容器のグリップ部分に溝や凹みなどからなる滑り止め部を構成すると共に、この滑り止め部の溝や凹み内に嵌め込みリングや塗布剤などにより形成される蓄光剤入り層を構成したことを特徴とする。
【発明の効果】
【０００５】
本発明は、消火剤を収容する容器のグリップ部分に設けた蓄光剤入り層が特に夜間時や暗い場所において光ることにより、夜間時や暗い場所での本消火器具の識別が容易となってすぐさま初期消火が行えると共に、グリップ部分の滑り止め部により滑らずに持ち易くなるので、本消火器具をしっかりとつかんで消火ができるという効果がある。
【発明を実施するための最良の形態】
【０００６】
消火剤を収容する容器のグリップ部分に溝や凹みなどからなる滑り止め部を構成すると共に、この滑り止め部の溝や凹み内に嵌め込みリングや塗布剤などにより形成される蓄光剤入り層を構成することにより、実現した。
【実施例】
【０００７】
図１は本発明の一実施例を示す側面図、図２は図１のグリップ部分を縦断して示す部分拡大図である。
【０００８】
図において、１は消火剤を収容する容器、２は容器１の口にある放出用バルブ部、３は容器１のグリップ部分に設けた複数本（図面では３本）の溝からなる滑り止め部、４は滑り止め部３の溝内にそれぞれ嵌め込んだ各リングによりそれぞれ構成した蓄光剤入り層で、含有される蓄光剤は太陽や蛍光灯の光を蓄積して暗くなると自己発光するようになっている。
【０００９】
本消火器具を家庭の台所などに置いておくと、特に夜間時や暗い場所においては蓄光剤入り層４が３本のリング状の光となって浮かび上がるので、その所在の識別が容易となる。よって、従来のもののように台所に点在している他のスプレー缶製品と識別のしにくいために、所在の識別が遅れて初期消火が遅れるということがない。
【００１０】
また、日常生活において、毎日、光によって本消火器具の存在（位置）を確認することになるため、知らず知らずのうちに本消火器具の所在を認識することになって、緊急時の対応（使用）がすばやくなるということも期待できる。
【００１１】
そして、本消火器具をつかんだときには、そのグリップ部分の滑り止め部３により滑らずに持ち易くなるので、例え手が濡れていたり握力が少なかった場合でも、しっかりとつかんで消火ができる。
【００１２】
上記実施例では滑り止め部３として３本の並列溝からなるものを示したが、その本数，形状は図示のものに限らないは勿論、例えば形状として凹凸により構成しても良いし、その凹凸も点在するようなものでも良い。
【００１３】
また、上記実施例では蓄光剤入り層４として３本のリングからなるものを示したが、これは滑り止め部３の構成（３本の並列溝）に合わせたもので、リング状でなくても良いことは勿論であるし、例えば溝や凹みの内部にシート状体を貼ったり塗布剤を塗ったりして最終的に蓄光剤が含有される層となるようにすれば良い。
【産業上の利用可能性】
【００１４】
本発明は、エアゾール式簡易消火具など家庭用消火器具に広く活用できる。
【図面の簡単な説明】
【００１５】
【図１】この発明の一実施例を示す側面図である。
【図２】図１のグリップ部分を縦断して示す部分拡大図である。
【符号の説明】
【００１６】
１：容器
２：放出用バルブ部
３：滑り止め部
４：蓄光剤入り層
【図１】
2005218656.tif 000003
【図２】
2005218656.tif 000004
(57)【要約】【課題】  整合層４とシリコン系のゴムカバー５との接着が悪く、そのために、超音波の透過性に問題があり、又、超音波プローブで検出する場合に患部の皮膚の表面にゴムカバー５を接触して移動するために、ゴムカバー５が摩耗し易いという問題があった。【解決手段】  １はプローブ本体、２は超音波振動子、３は絶縁体、４は整合層、５はシリコン系のゴムカバー、６はコードでこれらの構成は上記従来例と同じであるので、説明は省略するが、本実施例では、整合層４とシリコン系のゴムカバー５の間及び／又はシリコン系のゴムカバー５の表面にＤＬＣ（ダイヤモンドライクカーボン）７をコーティングする。【選択図】図１
2005218641.tif 000002
【特許請求の範囲】
【請求項１】
複数の超音波振動子を絶縁体を介してそれぞれ密接して装着され、該超音波振動子の超音波照射面及びその近傍に整合層を設け、該整合層の上にゴムカバーを被覆した超音波プローブにおいて、前記整合層とゴムカバーの間及び／又は前記ゴムカバーの表面にＤＬＣ（ダイヤモンドライクカーボン）をコーティングすることを特徴とする超音波プローブ。
【発明の詳細な説明】
【技術分野】
【０００１】
本発明は、ゴムカバーと整合層の間及び／又はゴムカバーの表面にＤＬＣ（ダイヤモンドライクカーボン）をコーティングした超音波プローブに関するものである。
【背景技術】
【０００２】
従来の超音波プローブとしては、図２及び図３に示すように、プローブ本体１に複数の超音波振動子２を薄い絶縁体３を介して密接して装着し、これらの超音波振動子２の表面に整合層４が装着され、この整合層４の上にシリコン系のゴムカバー５で覆うようにし、さらに、プローブ本体１にコード６が接続されたものが提案されている。
【０００３】
このように構成された超音波プローブでは、検査者がプローブ本体１を掴んでプローブ本体の前面にある超音波振動子２及び整合層４をカバーしたシリコン系のゴムカバー５を患者の皮膚の表面に当てて、表示装置に表示された画面を見ながらプローブ本体１を皮膚の表面を滑らしながら移動して、患部を検査するようにしている。
【０００４】
しかしながら、従来のこのような超音波プローブでは、整合層４とシリコン系のゴムカバー５との接着が悪く、そのために、超音波の透過性に問題があり、又、超音波プローブで検出するために患部の皮膚の表面にゴムカバー５を接触して移動しながら検査しているために、皮膚との摩擦によりゴムカバー５が摩耗し易いという問題があった。
【発明の開示】
【発明が解決しようとする課題】
【０００５】
解決しようとする問題点は、整合層とゴムカバーの接着が悪く、ゴムカバーの耐摩耗性が悪いという点である。
【課題を解決するための手段】
【０００６】
本発明では、複数の超音波振動子を絶縁体を介してそれぞれ密接して装着され、この超音波振動子の超音波照射面及びその近傍に整合層で覆い、さらに、この整合層の上にゴムカバーを被覆した超音波プローブにおいて、整合層とゴムカバーの間及び／又はゴムカバーの表面にＤＬＣ（ダイヤモンドライクカーボン）をコーティングするものである。
【発明の効果】
【０００７】
本発明の超音波プローブは、整合層とゴムカバーの間及び／又はゴムカバーの表面にＤＬＣ（ダイヤモンドライクカーボン）をコーティングすることにより、ゴムカバーと整合層の間の接着性を良くし、ゴムカバーと患者との接触部における耐摩耗性を向上することができるという利点がある。
【実施例】
【０００８】
図１は本発明の実施例の超音波プローブの一部断面斜視図で、１はプローブ本体、２は超音波振動子、３は絶縁体、４は整合層、５はシリコン系のゴムカバー、６はコードでこれらの構成は上記従来例と同じであるので、説明は省略するが、本実施例では、整合層４とシリコン系のゴムカバー５の間及びシリコン系のゴムカバー５の表面にＤＬＣ（ダイヤモンドライクカーボン）７をコーティングする。
【０００９】
このように構成された本実施例の超音波プローブでは、整合層４とシリコン系のゴムカバー５の間にＤＬＣ（ダイヤモンドライクカーボン）７を介在させることによって、整合層４とシリコン系のゴムカバー５との接着性が良くなり、又、シリコン系のゴムカバー５の表面にＤＬＣ（ダイヤモンドライクカーボン）７をコーティングすることによって、超音波プローブで検出する場合に患部の皮膚の表面にシリコン系のゴムカバー５を接触して移動したとき、ゴムカバー５が患者の皮膚の表面で滑り易くなり、ゴムカバー５の摩耗が少なくなり、耐摩耗を向上させることができる。
【００１０】
このＤＬＣ（ダイヤモンドライクカーボン）７はアモルファスカーボン又はダイヤモンド様カーボンとも呼ばれ、ダイヤモンド構造（ＳＰ3）とグラファイト構造（ＳＰ2）の両方の構造を含むが長距離秩序性がないアモルファス構造であり、一般的な特徴として、高度性、耐摩耗性、低摩擦係数、平滑性、科学的に安定などの特徴を有している（電気学会誌、１２３巻、１０号、ｐｐ．６４８−６５１「曲がるダイヤモンド薄膜（滝川浩史）」、日刊工業新聞社（２００３）「事例で学ぶＤＬＣ成膜技術（鈴木秀人、池永勝）」参照）。
【産業上の利用可能性】
【００１１】
なお、上記実施例では、シリコン系のゴムカバー５と整合層４の間及び／又はゴムカバー５の表面にＤＬＣ（ダイヤモンドライクカーボン）７をコーティングする例を示したが、シリコン系のゴムカバーばかりでなく、如何なるゴムカバーについても適用することができる。
【図面の簡単な説明】
【００１２】
【図１】本発明の実施例の超音波プローブの一部断面斜視図である。
【図２】従来例の超音波プローブの斜視図である。
【図３】図２の従来例の超音波プローブの一部断面斜視図である。
【符号の説明】
【００１３】
１                プローブ
２                超音波振動子
３                絶縁体
４                整合層
５                ゴムカバー
６                コード
７                ＤＬＣ（ダイヤモンドライクカーボン）
【図１】
2005218641.tif 000003
【図２】
2005218641.tif 000004
【図３】
2005218641.tif 000005
(57)【要約】【課題】  改札を通るとき、乗客は電子パスを取り出し、手でもつ必要がある。【解決手段】  鞄１０の底部１２に電子パスの１４を設ける。電子パスは、改札機の所定位置にかざすと、乗客の入退場が可能なタイプの定期券やプリペイドカードである。鞄１０のユーザは、単に鞄１０を少し傾け、前記の所定位置にもってくるだけでよく、改札の通過が格段に楽になる。【選択図】図１
2005218621.tif 000002
【特許請求の範囲】
【請求項１】
底部に、所定の電子パスを収納する収納部を設けたことを特徴とする鞄。
【請求項２】
底部外面側に、所定の電子パスを収納する収納部を設けたことを特徴とする鞄。
【請求項３】
底部内面側に、所定の電子パスを収納する収納部を設けたことを特徴とする鞄。
【請求項４】
底部に、所定の電子パスを収納する収納部を設け、当該収納部を当該鞄の長手方向においていずれか一方の側に偏って取り付けたことを特徴とする鞄。
【請求項５】
底部に、所定の電子パスを収納する収納部と、底部を支持する脚とを設け、
前記脚の高さが、前記底部の面より前記収納部の面が出っ張るその高さよりも高くなるよう構成したことを特徴とする鞄。
【請求項６】
底部に、所定の電子パスを収納する収納部を設け、前記底部の面より前記収納部の面が出っ張らないよう構成したことを特徴とする鞄。
【発明の詳細な説明】
【技術分野】
【０００１】
この発明は鞄に関する。
【背景技術】
【０００２】
最近、一部の鉄道において、改札機の出入口付近の所定位置（以下「パス検出位置」という）にかざすだけで運賃が精算され、または定期券の有効性が確認され、乗客の駅への入退場を便利にする電子的なパス（以下、単に「電子パス」という）が利用されている。従来の定期券は、いちいちホルダから外して改札機にとおす必要があったが、電子パスはホルダに収納した状態のまま、前記のパス検出位置に近づけるだけでよいため、利用者の利便性は格段に高まった。
【発明の開示】
【発明が解決しようとする課題】
【０００３】
しかし、それでもやはり電子パスを取り出し、手でかざすという動作は必要である。本発明はそうした観点からなされたものであり、この電子パスの利便性をさらに高めることの可能な技術を提供することにある。この技術は、乗客が通常有する鞄を利用するものである。
【課題を解決するための手段】
【０００４】
本発明の鞄は、底部に、所定の電子パスを収納する収納部を設けた。ここで、所定の電子パスとは、前述のごとく、改札機のパス検出位置にかざすだけで乗客の入退場を可能とするパスをいう。この鞄によれば、電子パスが底部にあるため、乗客はわざわざ電子パスを取り出して手にもつ必要はなく、単に鞄の底部をパス検出位置に近づければ足りる。
【発明の効果】
【０００５】
本発明によれば、ユーザの利便性を高める鞄を提供できる。
【発明を実施するための最良の形態】
【０００６】
図１は実施の形態に係る鞄１０を斜め下から見た外観を示す。鞄１０の底部１２外面側には、電子パスを収納する収納部１４が設けられている。底部１２には、底部１２を支持する４個の脚１８が取り付けられている。収納部１４は、電子パスを中に入れた状態で閉封する固着部材１６を有し、電子パスが外に出ないよう配慮している。収納部１４は、底部１２の長手方向において、いずれか一方に偏った位置に取り付けられている。同図では、収納部１４は左側（同図Ａ側）に設けられている。ユーザは左側を前として鞄１０をもつことにより、鞄１０の左側をわずかに持ち上げるだけで、容易に収納部１４をパス検出位置にかざすことができる。
【０００７】
収納部１４は、底部外面側にあるため、ユーザが電子パスにチャージ、すなわち預金するときや、その他の事情で電子パスを取り出すとき、便利である。ただし、収納部１４は底部１２内面側、すなわち鞄１０内部の底の部分に設けてもよい。この場合、電子パスを誤って落とす危険性が減る。
【０００８】
図１では、収納部１４が外部から見えるよう設けられているが、収納部１４を隠すように設けてもよい。たとえば、収納部１４を縫いつける糸を底部１２と同じ色にしたり、固着部材１６も同じ色にしたり、固着部材１６をなくし、電子パスを挿入口を単なる切れ込みにし、その挿入口の端部と底部１２をいわゆるマジックテープその他の方法で固着してもよい。収納部１４を隠すことで、電子パスが鞄１０の外部に装着されていることによるユーザの心理的負担が減る。
【０００９】
収納部１４の面が底部１２の面から外に出っ張らないよう、底部１２を少し凹状に成形し、または削り取り、その凹状の部分に収納部１４を設けてもよい。底部１２と収納部１４の面を同一面に形成するか、または、収納部１４の面のほうがさらに凹んだ位置にあれば、収納部１４だけがすり減ることもない。鞄１０を床においたときの安定性もよい。この考察は、脚１８が存在しない鞄１０について有効である。
脚１８が存在する図１の場合、４個の脚１８の高さを適切にとれば、たとえ収納部１４の面が底部１２の面よりも出っ張っていても、収納部１４の面が床面につかないよう構成することができる。すなわち、脚１８の高さを、底部１２の面より収納部１４の面が出っ張るその高さより高くすればよい。
【００１０】
実施の形態に係る鞄１０の大きさは問わないが、手で傾けた状態でパス検出位置にかざす必要があるため、好ましくは、ハンドバック、書類鞄、セカンドバッグやポーチまたはそれらに類する大きさとする。ただし、パス検出位置が床面にあるようなアプリケーションでは、鞄１０の大きさは全く不問でよく、非常に重い旅行鞄その他でも十分に利用可能となる。
【００１１】
収納部１４は、電子パスが内部で移動しないよう、電子パスの外形に合わせて設けられることが望ましい。長期間の使用で収納部１４がすり切れる等の事態も考えられるため、収納部１４はファスナーその他の手段で取り外しおよび交換可能に構成してもよい。
【００１２】
実施の形態では、電子パスを鉄道のためのものとしたが、鉄道に限る必要はない。パス検出位置にかざすことで何らかの処理がなされる任意のパスであればよい。
【図面の簡単な説明】
【００１３】
【図１】実施の形態に係る鞄の外観を示す図である。
【符号の説明】
【００１４】
１０  鞄、  １２  鞄の底部、  １４  収納部、  １６  固着部材。
【図１】
2005218621.tif 000003
(57)【要約】【課題】安価で小型な雑音出力レベルの変動の抑圧機能を備えたツェナーダイオードを用いた雑音発生回路を提供する。【解決手段】本発明に係わる雑音発生用ツェナーダイオードを用いた安定化雑音発生回路は、雑音発生用ツェナーダイオードを用いた雑音発生部と、この雑音発生部で発生された雑音電圧を増幅する可変利得増幅部と、この可変利得増幅部で増幅された雑音電圧を検波し、前記可変利得増幅部の利得制御信号として帰還させることによりこの可変利得増幅部から出力される雑音電圧のレベルの変動を抑圧する帰還部とを備えている。【選択図】  図１
2005218141.tif 000002
【特許請求の範囲】
【請求項１】
ツェナーダイオードを用いた雑音発生部と、
この雑音発生部で発生された雑音電圧を増幅する可変利得増幅部と、
この可変利得増幅部で増幅された雑音電圧を検波し、前記可変利得増幅部の利得制御信号として帰還させることによりこの可変利得増幅部から出力される雑音電圧のレベルの変動を抑圧する帰還部と
を備えたことを特徴とする雑音発生用ツェナーダイオードを用いた安定化雑音発生回路。
【発明の詳細な説明】
【技術分野】
【０００１】
本発明は、乱数の発生回路などに利用される雑音発生用ツェナーダイオードを用いた安定化雑音発生回路に関するものである。
【背景技術】
【０００２】
乱数の発生回路などには、雑音発生用のツェナーダイオードが利用される。このようなツェナーダイオードには、そのツェナー電圧の近傍の逆バイアス電圧を印加すると、低周波域から１MHz 程度の範囲にわたって理想的な白色雑音に近い雑音（疑似雑音）を発生するものがある。このようなツェナーダイオードを用いた雑音発生回路は、例えば、トランジスタ技術SPECIAL N0．1(ＣＱ出版社昭和63年２月10日第４版発行）の第40頁などに記載されている。そのような逆バイアス状態のツェナーダイオードから出力される信号を増幅し、基準電圧と比較することによりハイ状態とロー状態とに２値化すると、ハイ状態の持続時間についてもハイ状態への立ち上がり間隔についてもほぼランダムなパルス信号が得られる。
【発明の開示】
【発明が解決しようとする課題】
【０００３】
上記従来の雑音発生回路では、ツェナーダイオードや増幅用のトランジスタの温度特性などによって雑音電圧のレベルが変動する。従来、このようなレベルの変動を抑圧するために、加熱冷却装置を用いて回路の恒温化を図ったり、増幅部を含む雑音発生回路の出力段に更に可変増幅回路を設置しなければならず、費用とスペースがかさむという問題がある。従って、本発明の一つの目的は、ツェナーダイオードを使用した雑音発生回路に対して安価で小型な雑音出力レベルの変動の抑圧機能を実現することにある。
【課題を解決するための手段】
【０００４】
本発明に係わる雑音発生用ツェナーダイオードを用いた安定化雑音発生回路は、ツェナーダイオードを用いた雑音発生部と、この雑音発生部で発生された雑音電圧を増幅する可変利得増幅部と、この可変利得増幅部で増幅された雑音電圧を検波し、前記可変利得増幅部の利得制御信号として帰還させることによりこの可変利得増幅部から出力される雑音電圧のレベルの変動を抑圧する帰還部とを備えている。
【発明の効果】
【０００５】
本発明の安定化雑音発生回路は、雑音電圧を検波して可変利得増幅部の利得制御信号として帰還させることによりこの可変利得増幅部から出力される雑音電圧のレベルの変動を抑圧する帰還部とを備える構成であるから、従来のように出力段に可変利得増幅回路を別個に設置する必要がなくなり、費用と寸法が低減できる。
【実施例】
【０００６】
図１は、本発明の一実施例に係わるツェナーダイオードを用いた安定化雑音発生回路の構成を示す回路図である。この安定化雑音発生回路は、選別されたツェナーダイオードＺＤと、雑音出力の増幅用のバイポーラトランジスタＱ１と、増幅利得制御用の電界効果トランジスタＱ３と、雑音電圧の検波用のバイポーラトランジスタＱ２と、ダイオードＤ１，Ｄ２とを備えている。
【０００７】
図示しないバイアス発生部で発生されたツェナー電圧の近傍のバイアス電圧Ｖｂが、ツェナーダイオードＺＤに印加される。ツェナーダイオードＺＤのカソードに出現する雑音出力は増幅用バイポーラトランジスタＱ１のベース端子に供給され、そのコレクタ端子から増幅された雑音電圧が出力端子Ｏに出力される。この出力端子Ｏに供給される雑音電圧は、バイポーラトランジスタＱ２とダイオードＤ１，Ｄ２とで構成される検波回路にも供給される。
【０００８】
この検波回路で検波された検波雑音電圧は、電界効果トランジスタＱ３のゲート端子に帰還される。このゲート端子に帰還される検波出力が増加すると、この電界効果トランジスタＱ３を流れる電流が増大し、出力端子Ｏに出力される雑音電圧のレベルが減少する。逆に、上記検波雑音電圧が減少すると、電界効果トランジスタＱ３を流れる電流が減少し、出力端子Ｏに出力される雑音電圧のレベルが増加する。このように、ツェナーダイオードＺＤやトランジスタの温度特性などに起因して出力端子Ｏから出力される雑音電圧のレベルが変動しようとしても、上記検波雑音電圧の負帰還ループの作用によって変動幅が圧縮される。
【０００９】
図２は、雑音電圧の振幅（Ｖ）r.m.s （帯域幅１MHz ) と環境温度（°Ｃ）との関係の測定結果である。曲線Ｂは、従来の雑音発生回路について得られた結果であり、曲線Ａは、図１の回路から検波部を除去すると共に電界効果トランジスタＱ３を抵抗器で置き換えた回路について得られた結果である。環境温度に対する雑音電圧の変化の幅が大幅に圧縮されていることが判る。
【００１０】
図１の安定化雑音発生回路からの出力については、従来の手法に従って時間軸上でランダム性の検査が行われる。この安定化雑音発生回路に組み込まれたツェナーダイオードは、適宜な選別を経ているためかなりの高確率で合格品となる。しかしながら、中には不合格のツェナーダイオードも含まれるので、そのようなものはこの安定化雑音発生回路から除去される。
【図面の簡単な説明】
【００１１】
【図１】本発明の一実施例の安定化雑音発生回路の構成を示す回路図である。
【図２】図１の安定化雑音発生回路について得られた雑音電圧の温度依存特性Ａと、従来の雑音発生回路について得られた雑音電圧の温度依存特性Ｂとを示す測定データである。
【符号の説明】
【００１２】
AMP1,AMP2 増幅部
DT1,DT2   検波部
ZD          良品のツェナーダイオード
ZD          選別対象のツェナーダイオード
CMP1〜CMP4  電圧比較回路
V1〜V3      基準電圧供給回路
PD1 〜PD3   発光表示回路
【図１】
2005218141.tif 000003
【図２】
2005218141.tif 000004
(57)【要約】【課題】日本の住宅空間は非常に狭小なことが多く、多種の家具を配置する空間、もしくは収納する空間を確保することは困難な場合が多い。【解決手段】そして本発明は上記目的を達成するために腰かけ可能な高さの座面を持ち板状の背もたれのあるいすを、背もたれ側を下面にすることによって座椅子として利用できるようにした。また上記の背もたれつき椅子兼座椅子の板状の背もたれ部分の両側面を延長し、腰かけ部分の側面につなげた面を天地にすることによってベンチにもなるようにし、背もたれつき椅子・座椅子・ベンチの３つの役割をひとつで果たせるようにした。【選択図】図１
2005218536.tif 000002
【特許請求の範囲】
【請求項１】
腰掛可能な高さの座面を持つ部分(１)に板状の部分(２)を広角のL字型に連結した背もたれつき椅子兼座椅子
【請求項２】
上記の物の板状部分(２)の両側面に垂直に板状部分(３)を配置し、(１)の側面につながるよう延長した背もたれつき椅子兼座椅子兼ベンチ。
【発明の詳細な説明】
【技術分野】
【０００１】
本発明は３種類の使い方のできる椅子に関するもの。
【背景技術】
【０００２】
従来の椅子はソファ型・座椅子型・ベンチ型など用途によって異なる種類の椅子を用いなければならなかった。
【特許文献１】特開平２−３０５５０６号公報
【発明の開示】
【発明が解決しようとする課題】
【０００３】
日本の住宅空間は非常に狭小なことが多く、多種の家具を配置する空間、もしくは収納する空間を確保することは困難な場合が多い。
【０００４】
本発明は狭い空間でも目的に合わせたいすが設置可能なようにひとつのものに背もたれつき椅子・座椅子・ベンチの３種類の機能を持たせたものである。
【課題を解決するための手段】
【０００５】
そして本発明は上記目的を達成するために腰かけ可能な高さの座面を持ち、板状の背もたれのある椅子を、背もたれ側を下面にすることによって座椅子としても利用できるようにするものである。
【０００６】
また第二の点は上記の背もたれつき椅子兼座椅子の板状の背もたれ部分の両側面を延長し、腰かけ部分の側面につなげてできる面を天地にすることによってベンチにもなるものである。
【０００７】
上記２つの解決手段により、１つのものを背もたれつき椅子・座椅子・ベンチの３つの形で利用することができる。
【発明の効果】
【０００８】
上述したように本発明によって３種類の家具の役割を１つの物で果たすことができ、省スペースを実現することができる。
【０００９】
以下、本発明の形態を図に基づいて説明する。
【００１０】
図においては腰掛可能な高さを持つ部分(１)に板状の部分(２)を広角のL字型に連結したものである。
【００１１】
また上記の部材の板状部分(２)の両側面に垂直に板状部分(３)を配置し、部分(１)の側面につながるよう延長している。
【００１２】
以下、上記構成の利用方法について説明する。
まず部分(１)に腰かけられるように配置した場合、背もたれのついた一人用椅子として利用することができる。
【００１３】
また板状部分(２)を下にして配置した場合、一人用座椅子として利用できる。
【００１４】
また板状部分(２)と部分(１)の側面とが連結した面を地面と平行に配置した場合、２〜３人用のベンチとして利用できる。
【００１５】
以下、構造と素材について説明する。
まず体重がかかるため部分(１)と部分(２)の内部骨格を硬質の素材にして連結されなければならない
【００１６】
しかし部分(１)と部分(２)の互いに座面・背もたれになる面は体にかかる負担をやわらげるため表面をクッション素材で覆うことが望ましい。
【００１７】
なお部分(３)は座面でもあるので平らな硬質の素材が望ましい。その上からクッション素材で覆うことも可能である。
【００１８】
また部分(３)にも体重がかかるため、部分(１)・部分(２)の骨格と強固に連結されなければならない
【図面の簡単な説明】
【００１９】
【図１】腰掛可能な背もたれいすとして設置した時の概観図
【符号の説明】
【００２０】
１  背もたれつき椅子時の腰掛面
２  背もたれつき座椅子時の腰掛面
３  ベンチ時の腰掛面
【図１】
2005218536.tif 000003